(57)【要約】【課題】アクチュエータの操作が軽快にでき、しかも外れて脱落することのないＦＰＣ用コネクタを提供する。【解決手段】ＦＰＣ受入空洞２１が設けられた絶縁ハウジング２と、夫々のコンタクト片４４、４９がＦＰＣ受入空洞２１に臨んでいる複数の端子４Ａ、４Ｂと、ＦＰＣ８の接点８１、８２と複数の端子のコンタクト片４４、４９に設けられたコンタクト部４４１、４９１とを所定の接圧で係合させるためのアクチュエータ６とを備えている。アクチュエータ６は、回動可能に設置されている。複数の端子４Ａ、４Ｂは、アクチュエータ６に設けられたカム６２と係合する作動ビーム４３を有する第１の端子４Ａと、アクチュエータ６に設けられたピン部６３と係合し、アクチュエータ６の外れを防止する脱落防止片４６を有する第２の端子４Ｂとを含み、交互に装着されている。アクチュエータ６の回動による作動ビーム４３の変位によって、各端子のコンタクト部４４１、４９１とＦＰＣの接点８１、８２が所定の接圧で係合する。【選択図】  図１
2004319349.tif 000002
【特許請求の範囲】
【請求項１】
ＦＰＣ受入空洞（２１）が設けられた絶縁ハウジング（２）と、
絶縁ハウジング（２）に装着された端子であって、夫々のコンタクト片（４４、４９）がＦＰＣ受入空洞（２１）に臨んでいる複数の端子（４Ａ、４Ｂ）と、
ＦＰＣ受入空洞（２１）に挿入されたＦＰＣ（８）の接点（８１、８２）と前記複数の端子（４Ａ、４Ｂ）のコンタクト片（４４、４９）に設けられたコンタクト部（４４１、４９１）とを所定の接圧で係合させるためのアクチュエータ（６）とを備え、
前記複数の端子（４Ａ、４Ｂ）が、装着片（４１）から立ち上がる基部片（４２）の先端から一方に作動ビーム（４３）が片持ち梁状に延びていると共に、基部片（４２）の先端から他方に第１コンタクト片（４４）が片持ち梁状に延びている第１の端子（４Ａ）と、第２コンタクト片（４９）とＦＰＣ受け片（５０）で二股状に形成された接続部（５１）が弾性連結部（４８）を介して脱落防止片（４６）に連続している第２の端子（４Ｂ）とを含み、
前記アクチュエータ（６）が、第１の端子（４Ａ）の作動ビーム（４３）にカム（６２）を介して係合すると共に、第２の端子（４Ｂ）の脱落防止片（４６）の切欠部（４７）にピン部（６３）を介して係合し、接続状態の位置と接続開放状態の位置の間で回動可能とされ、カム（６２）の回動で第１の端子（４Ａ）の作動ビーム（４３）を弾性変位させて、各端子のコンタクト片（４４、４９）に設けたコンタクト部（４４１、４９１）とＦＰＣ（８）の接点（８１、８２）を所定の接圧で係合させると共に、  前記脱落防止片（４６）とピン部（６３）の係合でアクチュエータ（６）の脱落が防止されていることを特徴とするＦＰＣ用コネクタ。
【請求項２】
前記第１の端子（４Ａ）と第２の端子（４Ｂ）は、絶縁ハウジング（２）に対して交互に装着されている請求項１に記載のＦＰＣ用コネクタ。
【請求項３】
前記ＦＰＣ（８）は、第１の端子（４Ａ）の第１コンタクト片（４４）と第２の端子（４Ｂ）のＦＰＣ受け片（５０）の間を通して、第２の端子（４Ｂ）の第２コンタクト片（４９）とＦＰＣ受入空洞（２１）の底面（２１２）の間に挿入される請求項１又は２に記載のＦＰＣ用コネクタ。
【請求項４】
ＦＰＣ受入空洞（２１）が設けられた絶縁ハウジング（２）と、
絶縁ハウジング（２）に装着された端子であって、夫々のコンタクト片（４４、４９）がＦＰＣ受入空洞（２１）に臨んでいる複数の端子（４Ａ、４Ｂ）と、
ＦＰＣ受入空洞（２１）に挿入されたＦＰＣ（８）の接点（８１、８２）と前記複数の端子（４Ａ、４Ｂ）のコンタクト片（４４、４９）に設けられたコンタクト部（４４１、４９１）とを所定の接圧で係合させるためのアクチュエータ（６）とを備え、
前記アクチュエータ（６）は、回動可能に設置され、
そして、前記複数の端子（４Ａ、４Ｂ）は、アクチュエータ（６）に設けられたカム（６２）と係合する作動ビーム（４３）を有する第１の端子（４Ａ）と、アクチュエータ（６）に設けられたピン部（６３）と係合してアクチュエータ（６）の外れを防止する脱落防止片（４６）を有する第２の端子（４Ｂ）とを含んでおり、
アクチュエータ（６）の回動による作動ビーム（４３）の変位によって、各端子（４Ａ、４Ｂ）のコンタクト部（４４１、４９１）とＦＰＣ（８）の接点（８１、８２）が所定の接圧で係合することを特徴とするＦＰＣ用コネクタ。
【請求項５】
前記第１の端子（４Ａ）と第２の端子（４Ｂ）は、絶縁ハウジング（２）に対して交互に装着されている請求項４に記載のＦＰＣ用コネクタ。
【請求項６】
前記第１の端子（４Ａ）は、装着片（４１）から立ち上がる基部片（４２）の先端から一方に前記作動ビーム（４３）が片持ち梁状に延びていると共に、基部片（４２）の先端から他方にコンタクト片（４４）が片持ち梁状に延びている請求項４に記載のＦＰＣ用コネクタ。
【請求項７】
前記第２の端子（４Ｂ）は、コンタクト片（４９）とＦＰＣ受け片（５０）で二股状に形成された接続部（５１）が弾性連結部（４８）を介して前記脱落防止片（４６）に連続している請求項４に記載のＦＰＣ用コネクタ。
【請求項８】
前記第１の端子（４Ａ）は、装着片（４１）から立ち上がる基部片（４２）の先端から一方に前記作動ビーム（４３）が片持ち梁状に延びていると共に、基部片（４２）の先端から他方にコンタクト片（４４）が片持ち梁状に延びており、前記第２の端子（４Ｂ）は、コンタクト片（４９）とＦＰＣ受け片（５０）で二股状に形成された接続部（５１）が弾性連結部（４８）を介して前記脱落防止片（４６）に連続しており、第１の端子（４Ａ）のコンタクト片（４４）がＦＰＣ（８）に向けて変位したとき、ＦＰＣ（８）が第２の端子（４Ｂ）のＦＰＣ受け片（５０）を変位させると共に、第２の端子（４Ｂ）のコンタクト片（４９）をＦＰＣ（８）に向けて変位させる請求項４に記載のＦＰＣ用コネクタ。
【請求項９】
ＦＰＣ受入空洞（２１）が設けられた絶縁ハウジング（２）と、
絶縁ハウジング（２）に装着された端子であって、夫々のコンタクト片（４４、４９）がＦＰＣ受入空洞（２１）に臨んでいる複数の端子（４Ａ、４Ｂ）と、
ＦＰＣ受入空洞（２１）に挿入されたＦＰＣ（８）の接点（８１、８２）と前記複数の端子（４Ａ、４Ｂ）のコンタクト片（４４、４９）に設けられたコンタクト部（４４１、４９１）とを所定の接圧で係合させるためのアクチュエータ（６）とを備え、
前記複数の端子（４Ａ、４Ｂ）は、前記アクチュエータ（６）を介して変位する作動ビーム（４３）を備えた第１の端子（４Ａ）と、前記アクチュエータ（６）に対する脱落防止片（４６）を備えた第２の端子（４Ｂ）とを含んでおり、
前記アクチュエータ（６）は、前記第１の端子（４Ａ）と第２の端子（４Ｂ）に対して回動可能に設置されていることを特徴とするＦＰＣ用コネクタ。
【請求項１０】
前記第１の端子（４Ａ）と第２の端子（４Ｂ）は、絶縁ハウジング（２）に対して交互に装着されている請求項９に記載のＦＰＣ用コネクタ。
【請求項１１】
前記第１の端子（４Ａ）は、装着片（４１）から立ち上がる基部片（４２）の先端から一方に前記作動ビーム（４３）が片持ち梁状に延びていると共に、基部片（４２）の先端から他方にコンタクト片（４４）が片持ち梁状に延びている請求項９に記載のＦＰＣ用コネクタ。
【請求項１２】
前記第２の端子（４Ｂ）は、コンタクト片（４９）とＦＰＣ受け片（５０）で二股状に形成された接続部（５１）が弾性連結部（４８）を介して前記脱落防止片（４６）に連続している請求項９に記載のＦＰＣ用コネクタ。
【請求項１３】
前記第１の端子（４Ａ）は、装着片（４１）から立ち上がる基部片（４２）の先端から一方に前記作動ビーム（４３）が片持ち梁状に延びていると共に、基部片（４２）の先端から他方にコンタクト片（４４）が片持ち梁状に延びており、前記第２の端子（４Ｂ）は、コンタクト片（４９）とＦＰＣ受け片（５０）で二股状に形成された接続部（５１）が弾性連結部（４８）を介して前記脱落防止片（４６）に連続しており、第１の端子（４Ａ）のコンタクト片（４４）がＦＰＣ（８）に向けて変位したとき、ＦＰＣ（８）が第２の端子（４Ｂ）のＦＰＣ受け片（５０）を変位させると共に、第２の端子（４Ｂ）のコンタクト片（４９）をＦＰＣ（８）に向けて変位させる請求項９に記載のＦＰＣ用コネクタ。
【発明の詳細な説明】
【０００１】
【発明の属する技術分野】
この発明は、一般にＦＰＣ、ＦＦＣなどと呼ばれている平型柔軟ケーブル（この明細書では、これらを代表して単に「ＦＰＣ」と言う。）を接続できるようにしたＦＰＣ用コネクタに関する。
【０００２】
【従来の技術】
従来、この種のＦＰＣ用コネクタは、ＦＰＣ受入空洞が設けられた絶縁ハウジングと、絶縁ハウジングに装着された端子であって、夫々のコンタクト片がＦＰＣ受入空洞に臨んでいる複数の端子と、ＦＰＣ受入空洞に挿入されたＦＰＣの接点と前記複数の端子のコンタクト片に設けられたコンタクト部とを所定の接圧で係合させるためのアクチュエータとを備えた構成とされている。アクチュエータを介してＦＰＣの接点と端子のコンタクト片に設けられたコンタクト部とを係合させる手法には様々な手法が知られている。そのうちの一つとして、複数の端子の夫々にアクチュエータによって変位させられる作動ビームを設け、この作動ビームの変位を介してコンタクト片を、ＦＰＣ受入空洞に挿入されたＦＰＣに接近するように変位させ、そのコンタクト部をＦＰＣの接点に所定の接圧で係合するようにしたものがある。（特許文献１〜５参照）。
【０００３】
【特許文献１】
特許第３１０１９５１号公報  （図２）
【特許文献２】
特許第３０４７８６２号公報  （図４、５、６）
【特許文献３】
特開２００２−２７０２９０号公報  （図６、７）
【特許文献４】
特開２００２−１９０３６０号公報  （図４）
【特許文献５】
特開平１１−３０７１９８号公報  （図３、４）
【０００４】
【発明が解決しようとする課題】
このような手法を採用したＦＰＣ用コネクタでは、アクチュエータと前記作動ビームを係合させて、アクチュエータを回動することによって作動ビームが変位するようにしている。したがって、複数の端子の極数が増すに従って、アクチュエータの回動操作が固くなり操作性が悪くなるという問題点があった。また、アクチュエータの回動操作が固くなるのに応じて、アクチュエータには大きな力を加えなければならなくなり、アクチュエータが外れて脱落する可能性も大きくなる問題点もあった。アクチュエータを脱落しないようにするためには、アクチュエータと絶縁ハウジングの間で係合構造を設けていたが、この係合構造の強度には、コネクタ小型化の要請上限界があり、脱落を確実に防ぐ構造とすることは難しかった。
【０００５】
この発明は、このような問題点に鑑みてなされたもので、アクチュエータの操作が軽快にでき、しかも外れて脱落することのないＦＰＣ用コネクタを提供することを目的としている。
【０００６】
【課題を解決するための手段】
前記の目的を達成するこの発明のＦＰＣ用コネクタは、ＦＰＣ受入空洞が設けられた絶縁ハウジングと、絶縁ハウジングに装着された端子であって、夫々のコンタクト片がＦＰＣ受入空洞に臨んでいる複数の端子と、ＦＰＣ受入空洞に挿入されたＦＰＣの接点と前記複数の端子のコンタクト片に設けられたコンタクト部とを所定の接圧で係合させるためのアクチュエータとを備えている。
前記複数の端子は、装着片から立ち上がる基部片の先端から一方に作動ビームが片持ち梁状に延びていると共に、基部片の先端から他方に第１コンタクト片が片持ち梁状に延びている第１の端子と、第２コンタクト片とＦＰＣ受け片で二股状に形成された接続部が弾性連結部を介して脱落防止片に連続している第２の端子とを含んでいる。
そして、前記アクチュエータが、第１の端子の作動ビームにカムを介して係合すると共に、第２の端子の脱落防止片の切欠部にピン部を介して係合し、接続状態の位置と接続開放状態の位置の間で回動可能とされ、カムの回動で第１の端子の作動ビームを弾性変位させて、各端子のコンタクト片に設けたコンタクト部とＦＰＣの接点を所定の接圧で係合させると共に、前記脱落防止片とピン部の係合でアクチュエータの脱落が防止されていることを特徴としている。
【０００７】
【作用】
このように構成されるこの発明のＦＰＣ用コネクタによれば、アクチュエータは、全ての端子ではなく、第１の端子の作動ビームを変位させるだけなので、作動ビームを変位させるための負荷を減らし、アクチュエータの回動操作が固くならずに軽快にすることができる。また、第２の端子の脱落防止片とアクチュエータのピン部を係合させた構成であるので、アクチュエータが脱落するのを確実に防止することができる。
【０００８】
以下で説明する実施形態のように、前記第１の端子と第２の端子は、絶縁ハウジングに対して交互に装着することが望ましいが、この態様に限定されるものではない。
【０００９】
前記第１の端子の、装着片から立ち上がる基部片の先端から一方に前記作動ビームが片持ち梁状に延びていると共に、基部片の先端から他方にコンタクト片が片持ち梁状に延びている形状は、基部片と作動ビームおよびコンタクト片が略Ｔ字状の形状となって、作動ビームの変位をコンタクト片に十分に伝達して、コンタクト部に十分な接圧を発揮させることができる。
【００１０】
また、前記第２の端子の、コンタクト片とＦＰＣ受け片で二股状に形成された接続部が弾性連結部を介して前記脱落防止片に連続している形状は、接続部を振り子状に弾性変位させることが可能で、第１の端子のコンタクト片と第２の端子のコンタクト片がＦＰＣの接点と当接する圧力を弾性連結部の弾力を介してバランスさせることができる。
【００１１】
このような第１の端子と第２の端子を用いて、第１の端子のコンタクト片がＦＰＣに向けて変位したとき、ＦＰＣが第２の端子のＦＰＣ受け片を変位させると共に、第２の端子のコンタクト片をＦＰＣに向けて変位させるようにすることができる。
【００１２】
【発明の実施の形態】
以下、この発明の実施の形態を添付の図を参照して詳細に説明する。
【００１３】
図１は、実施形態のＦＰＣ用コネクタ１の端子に沿う断面を表している。ＦＰＣ用コネクタ１の外観が図２、３と図４、５に示されている。このＦＰＣ用コネクタ１は、絶縁ハウジング２と、絶縁ハウジング２に装着された第１の端子４Ａおよび第２の端子４Ｂの２種類の端子と、アクチュエータ６とで構成されている。
【００１４】
２種類の端子、即ち、第１の端子４Ａと第２の端子４Ｂは、交互に装着されており、第１の端子４Ａが奇数極となり、第２の端子４Ｂが偶数極となっている。図１の（ａ）は奇数極を構成した第１の端子４Ａに沿って示されており、図１の（ｂ）は偶数極を構成した第２の端子４Ｂに沿って示されている。
【００１５】
絶縁ハウジング２は、図２〜５に表れているように、絶縁性のプラスチックで、平面が略方形で扁平な板状に成形され、内部にＦＰＣ受入空洞２１と端子装着溝２２が設けられている。ＦＰＣ受入空洞２１は、絶縁ハウジング２の前端（図１において左側）で開口して入口２１１を形成しており、ここからＦＰＣ８を図１のように挿入できるようにされている。端子装着溝２２は、絶縁ハウジング２の長手方向（図２〜５で左右の方向）で、所定のピッチで形成され、絶縁ハウジング２の前端から図１（ａ）に示されているように第１の端子４Ａが装着できるようにされ、そして、絶縁ハウジング２の後端から図１（ｂ）に示されているように、第２の端子４Ｂが装着できるようにされている。
【００１６】
第１の端子４Ａと第２の端子４Ｂは、ともに導電性の薄金属板を打抜いて構成されている。図１を参照して、夫々の端子の形状について説明する。第１の端子４Ａは、端子装着溝２２に挿入して係止するようにした細長い装着片４１の中間部に基部片４２が立ち上がっている。そして、この基部片４２の先端から一方（図１において右方）に作動ビーム４３が片持ち梁状に延びていると共に、基部片４２の先端から他方に第１コンタクト片４４が片持ち梁状に延びている。基部片４２と、作動ビーム４３および第１コンタクト片４４とで略Ｔ字状の形状とされている。
【００１７】
第１の端子４Ａを絶縁ハウジング２の前端側から装着すると、作動ビーム４３が絶縁ハウジング２の後方に向かって延びて、先端部に形成された作動部４３１が絶縁ハウジング２の後方上部に形成されたアクチュエータ係合空間２３に配置されるようになっている。また、第１コンタクト片４４は、ＦＰＣ受入空洞２１の上側に沿って絶縁ハウジング２の前方に向かって延び、先端部の下縁に突出するように形成したコンタクト部４４１が、ＦＰＣ受入空洞２１の入口２１１近くに配置されるようになっている。
【００１８】
第１の端子４Ａを形成した装着片４１は、その基端部分が絶縁ハウジング２の前端より前方に位置する長さを有している。この絶縁ハウジング２の前方に突出する基端部分が、下縁側に幅広に形成されて半田テイル４５を構成し、取付基板（図示せず）の表面に半田付けができるようにされている。また、装着片４１の、半田テイル４５と前記基部片４２の間の部分は、上縁側に幅広に形成されて、装着片４１の強度が確保されている。
【００１９】
第２の端子４Ｂは、幅広の装着片４６を有している。この装着片４６は、以下に説明するアクチュエータ６の脱落防止片も構成しているもので、上縁に切欠部（ここではＶ字状とされている）４７が形成されている。この装着片（脱落防止片）４６の上縁一側（左側）から略Ｓ字状の弾性連結部４８が蛇行して延びている。更に、この弾性連結部４８から、第２コンタクト片４９を上側とし、ＦＰＣ受け片５０を下側として二股状にされた接続部５１が延びている。接続部５１を構成した第２コンタクト片４９とＦＰＣ受け片５０は、ＦＰＣ受け片５０が第２コンタクト片４９に比べて長く、第２コンタクト片４９はＦＰＣ受け片５０の略中央の位置まで延びる長さとされている。
【００２０】
第２の端子４Ｂを絶縁ハウジング２の後端から端子装着溝２２に装着すると、接続部５１を構成したＦＰＣ受け片５０がＦＰＣ受入空洞２１の下側に沿って前方に延びて、先端部の上縁に突出するように形成されている受圧面５０１が、ＦＰＣ受入空洞２１の入口２１１近くに配置され、前記第１の端子４Ａの第１コンタクト片４４に形成したコンタクト部４４１との間で、第１の端子４Ａと第２の端子４Ｂの装着ピッチだけずれた関係で対向するようになっている。また、接続部５１を構成した第２コンタクト片４９は、ＦＰＣ受入空洞２１の上側に沿って前方に延びて、先端下縁に突出させたコンタクト部４９１がＦＰＣ受入空洞２１の奥に配置されて、ＦＰＣ受入空洞２１の底面２１２と対向するようになっている。
【００２１】
第２の端子４Ｂの装着片（脱落防止片）４６は、切欠部４７を設けた部分が絶縁ハウジング２の後端側に形成したアクチュエータ係合空間２３において露出するようになっている。また、この装着片（脱落防止片）４６の下縁から外側に連続させて設けた半田テイル５２が絶縁ハウジング２の後端から後方に延びて取付基板の表面に半田付けができるようにされている。
【００２２】
アクチュエータ６は、絶縁ハウジング２と同様の絶縁性のプラスチックで細幅の板状に形成されている。長手方向一側に沿って、複数の開口部６１が設けられている。複数の開口部６１は、前記第１、第２の端子４Ａ、４Ｂの装着ピッチと同一のピッチで設けられており、絶縁ハウジング２の後端側に形成したアクチュエータ係合空間２３に延びている第１の端子４Ａの作動ビーム４３と、アクチュエータ係合空間２３で露出している第２の端子４Ｂの脱落防止片４６に一つおきに対応するようにしてある。
【００２３】
第１の端子４Ａの作動ビーム４３に対応する開口部６１は、アクチュエータ６の縁を形成する縁部が、図１（ａ）に示したように、断面が略楕円形状のカム６２とされている。アクチュエータ６を組み付けると、作動ビーム４３の作動部４３１が開口部６１に進入して、カム６２が作動部４３１の下縁と係合するようになっている。
【００２４】
また、第２の端子４Ｂの脱落防止片４６に対応する開口部６１は、アクチュエータ６の縁を形成する縁部が、図１（ｂ）に示したように、略円柱状のピン部６３とされている。アクチュエータ６を組み付けると、ピン部６３が脱落防止片４６に形成した切欠部４７内に収容されるようになっている。
【００２５】
第１の端子４Ａの作動ビーム４３および第２の端子４Ｂの脱落防止片４６と、アクチュエータ６を上記のような係合関係で互いに組み付けることで、アクチュエータ６が、図２、３に示した接続状態の位置と、図４、５に示した接続開放状態の位置の間を、前記開口部６１を設けた縁部の周りで回動可能となるようにされている。尚、前記ピン部６３は、アクチュエータ６の回動に従って脱落防止片４６の切欠部４７内で、位置を変化させる（図１、６、７、８の各（ｂ）参照）ようになっている。したがって、アクチュエータが固定された位置で保持されたピン部の回りで回動するものとは趣を異にしている。
【００２６】
アクチュエータ６の両端部には、図２に表れているように、フック部６４が外向きに設けられ、絶縁ハウジング２の両側に内向きに設けたフック部２４と対向するようにしてある。アクチュエータ６を図４、５の接続開放状態の位置に回動させたときには、アクチュエータ６側のフック部６４が絶縁ハウジング２側のフック部２４の下にもぐりこんで互いに係合し、アクチュエータ６をその位置で仮保持できるようにされている。
【００２７】
次に、上記のように構成されたＦＰＣ用コネクタ１にＦＰＣ８を接続する様子について、図１と共に図６〜９を参照して説明する。
【００２８】
ＦＰＣ８の接続は、アクチュエータ６を図１と図４、５に示した接続開放状態の位置に回動して、ＦＰＣ受入空洞２１にＦＰＣ８を挿入した後、アクチュエータ６を図６、７の中間過程を経て図８と図２、３に示した接続状態の位置に回動させて行う。
【００２９】
アクチュエータ６を接続開放状態の位置に回動すると、ＦＰＣ受入空洞２１に入口２１１を通してＦＰＣ８を挿入することができる。図１はＦＰＣ８の挿入を完了した状態を表している。第１の端子４Ａの第１コンタクト片４４に設けたコンタクト部４４１と第２の端子４ＢのＦＰＣ受け片５０に設けた受圧面５０１の間隔は、ＦＰＣ８の厚さよりも僅かに広くしてある。また、第２の端子４Ｂの第２コンタクト片４９に設けたコンタクト部４９１とＦＰＣ受入空洞２１の底面２１２の間隔も、ＦＰＣ８の厚さよりも僅かに広くしてある。したがって、ＦＰＣ８の挿入は、ＺＩＦ（Ｚｅｒｏ  Ｉｎｓｅｒｔ  Ｆｏｒｃｅ）のもとに行うことが可能となっている。
【００３０】
ＦＰＣ受入空洞２１にＦＰＣ８を挿入した後、アクチュエータ６を矢示Ｒ（図１）のように回動させる。アクチュエータ６は、図６、７に示した中間過程を経て図８の接続状態の位置まで回動することができる。アクチュエータ６の回動に伴って、カム６２も作動ビーム４３の作動部４３１とアクチュエータ係合空間２３の底面２３１の間で回動し、作動部４３１を上方に押し上げるように作用する。したがって、片持ち梁状とした作動ビーム４３は、矢示Ｆ１（図６（ａ）〜８（ａ）、図９）の方向に弾性変位することになる。この結果、基部片４２を挟んで作動ビーム４３と反対側に延びている第１コンタクト片４４は、矢示Ｆ２の方向に弾性変位することになる。
【００３１】
アクチュエータ６を上記のように回動させる際には、作動ビーム４３の弾性変位に起因する反力がアクチュエータ６に加わり、アクチュエータ６の回動に抵抗する。しかしながら、作動ビーム４３は、第１の端子４Ａのみに設けて、第２の端子４Ｂには設けていないので、全ての端子４Ａ、４Ｂに作動ビーム４３を設ける構成に比べて、反力をおよそ半分にでき、アクチュエータ６の回動を軽快に行うことを可能にしている。
【００３２】
作動ビーム４３の弾性変位に起因する反力は、アクチュエータ６を、カム６２と作動ビーム４３の係合が外れる矢示Ｄ  （図６（ｂ）〜８（ｂ））の方向へ移動させようとする。しかしながら、この矢示Ｄの方向への移動は、アクチュエータ６のピン部６３と第２の端子４ｂの脱落防止片４６に設けた切欠部４７の係合部分によって阻止される。即ち、図６〜８の各（ｂ）に表れているように、アクチュエータ６が回動する際、ピン部６３は、切欠部４７の縁部４７１、即ち、切欠部４７を画成している立ち上がり突片４７２の内縁に係合した状態で切欠部４７内を移動する。このため、アクチュエータ６が回動する際に、組み付け状態が外れて脱落するのが防止されるようになっている。
【００３３】
アクチュエータ６の回動の結果生じた作動ビーム４３の矢示Ｆ１の方向の弾性変位と、第１コンタクト片４４の矢示Ｆ２の方向の弾性変位によって、第１の端子４Ａの第１コンタクト片４４および第２の端子４Ｂの第２コンタクト片４９と、ＦＰＣ８の接点８１、８２が電気的に接続する。図９は、この接続を説明する図である。第１の端子４Ａの第１コンタクト片４４が矢示Ｆ２の方向に弾性変位すると、そのコンタクト部４４１がＦＰＣ８の接点８１に当接すると共に、第１コンタクト片４４がＦＰＣ８をＦ２の方向に押しやる（押し下げる）。
【００３４】
ＦＰＣ８を押し下げる力は、第２の端子４ＢのＦＰＣ受け片５０の受圧面５０１に伝達される。受圧面５０１に押し下げ力を受けたＦＰＣ受け片５０は、接続部５１を構成している第２コンタクト片４９と一体となって弾性連結部４８を支点として矢示Ｆ２の方向に振り子状に弾性変位する。そして、接続部５１の振り子状の弾性変位の結果、第２コンタクト片４９のコンタクト部４９１がＦＰＣ８の接点８２に当接すると共に、第２コンタクト片４９がＦＰＣ８を押し下げる。この第２コンタクト片４９の押し下げ力は、ＦＰＣ受入空洞２１の底面２１２に伝達される。
【００３５】
かくして、全体的に応力がバランスして、第１コンタクト片４４のコンタクト部４４１と接点８１の当接部分および第２コンタクト片４９のコンタクト部４９１と接点８２の当接部分には、適度な接圧が得られ、信頼性の高い電気的導通が形成される。
【００３６】
ＦＰＣ８の接続を解除する時は、アクチュエータ６を上記と反対の、接続状態の位置から接続開放状態の位置の方向へ回動して行う。尚、アクチュエータ６に設けたカム６２は、図７に示した中間過程の回動位置で作動ビーム４３を最も大きく弾性変位させたピーク状態となるようにしている。したがって、アクチュエータ６には、このピーク状態を乗り越える力を加えないと、ＦＰＣ８の接続を解除できないこととなり、接続状態が安全に維持できるようになっている。加えて、ＦＰＣ８を接続する場合には、図７のピーク状態を越えると、アクチュエータ６の回動が作動ビーム４３の反力で付勢されるので、クリック感を得ながら確実な接続操作を実行できるようになっているともいえる。
【００３７】
これまでに説明した実施形態のＦＰＣ用コネクタ１は、接点８１、８２が上面に設けられているＦＰＣ８が接続できるものであった。しかしながら、第１、第２の端子４Ａ、４Ｂの形状を若干変更することで、接点が下面に設けられているＦＰＣ８の接続が可能なＦＰＣ用コネクタ１１とすることができる。図１０〜図１３は、下面接点のＦＰＣ８に対応した第２の実施形態のＦＰＣ用コネクタ１１を示している。図１０は、第１の実施形態における図１に、図１１は図６に、図１２は図７に、そして、図１３は図８にそれぞれ対応している。
【００３８】
各図に表れているように、第１の端子４Ａは、装着片４１の中間部上縁に、ＦＰＣ受入空洞２１に突出するコンタクト部４１１が形成されている。そして、第１コンタクト片４４に形成したコンタクト部４４１（第１実施形態）は、加圧突起４４２とされている。また、第２の端子４Ｂは、二股状の接続部５１を構成したＦＰＣ受け片５０の受圧面５０１（第１実施形態）がコンタクト部５０２とされ、第２コンタクト片４９のコンタクト部４９１（第１実施形態）が、加圧突起４９２とされている。
【００３９】
アクチュエータ６の回動によって、第１コンタクト片４４がＦ２の方向へ変位すると、ＦＰＣ８を同方向へ付勢し、コンタクト部５０２とＦＰＣ８の下面に設けられた接点が当接、係合する。一方、第２コンタクト片４９の加圧突起４９２もＦＰＣ８を付勢し、コンタクト部４１１とＦＰＣ８の下面に設けられた接点が当接、係合する。
【００４０】
アクチュエータ６が、第１の端子４Ａの作動ビーム４３を弾性変位させる構成と、アクチュエータ６に設けられたピン部６３が、第２の端子４Ｂの切欠部４７で係合して、回動中、外れない構成は、第１の実施形態と同様である。
【００４１】
【発明の効果】
以上に説明の通り、この発明によれば、アクチュエータによって、複数の端子のうちのいくつかの端子に設けた作動ビームを弾性変位させるようにしたので、アクチュエータの回動操作を軽くでき、操作が軽快なＦＰＣ用コネクタを構成することができる。また、アクチュエータに設けたピン部を複数の端子のうちのいくつかの端子の脱落防止片と係合させたので、アクチュエータの回動の際に組み付け状態が外れて脱落する恐れのないＦＰＣ用コネクタを構成することができる。
【図面の簡単な説明】
【図１】アクチュエータを接続開放状態の位置にしたときの、この発明の実施形態のＦＰＣ用コネクタの断面図で、（ａ）は第１の端子に沿って示した断面図、（ｂ）は第２の端子に沿って示した断面図である。
【図２】アクチュエータを接続状態の位置にしたときの、この発明の実施形態のＦＰＣ用コネクタの前方から見た斜視図である。
【図３】同じく、アクチュエータを接続状態の位置にしたときの、この発明の実施形態のＦＰＣ用コネクタの後方から見た斜視図である。
【図４】アクチュエータを接続開放状態の位置にしたときの、この発明の実施形態のＦＰＣ用コネクタの前方から見た斜視図である。
【図５】同じく、アクチュエータを接続開放状態の位置にしたときの、この発明の実施形態のＦＰＣ用コネクタの後方から見た斜視図である。
【図６】アクチュエータを接続状態の位置に向けて回動させた途中の段階の断面図で、（ａ）は第１の端子に沿って示した断面図、（ｂ）は第２の端子に沿って示した断面図である。
【図７】アクチュエータの回動が図６から更に進んだ途中の段階の断面図で、（ａ）は第１の端子に沿って示した断面図、（ｂ）は第２の端子に沿って示した断面図である。
【図８】アクチュエータを接続状態の位置にしたときの断面図で、（ａ）は第１の端子に沿って示した断面図、（ｂ）は第２の端子に沿って示した断面図である。
【図９】第１の端子と第２の端子のコンタクト片のコンタクト部とＦＰＣの接点が係合する動作を説明する斜視図である。
【図１０】この発明の第２の実施形態のＦＰＣ用コネクタの、アクチュエータを接続開放状態の位置にしたときの断面図で、（ａ）は第１の端子に沿って示した断面図、（ｂ）は第２の端子に沿って示した断面図である。
【図１１】第２の実施形態の、アクチュエータを接続状態の位置に向けて回動させた途中の段階の断面図で、（ａ）は第１の端子に沿って示した断面図、（ｂ）は第２の端子に沿って示した断面図である。
【図１２】アクチュエータの回動が図１１から更に進んだ途中の段階の断面図で、（ａ）は第１の端子に沿って示した断面図、（ｂ）は第２の端子に沿って示した断面図である。
【図１３】アクチュエータを接続状態の位置にしたときの断面図で、（ａ）は第１の端子に沿って示した断面図、（ｂ）は第２の端子に沿って示した断面図である。
【符号の説明】
１          ＦＰＣ用コネクタ
１１        ＦＰＣ用コネクタ
２          絶縁ハウジング
２１        ＦＰＣ受入空洞
２１１      入口
２１２      底面
２２        端子装着溝
２３        アクチュエータ係合空間
２３１      底面
２４        フック部
４Ａ        第１の端子
４Ｂ        第２の端子
４１        装着片
４１１      コンタクト部
４２        基部片
４３        作動ビーム
４３１      作動部
４４        第１コンタクト片
４４１      コンタクト部
４４２      加圧突起
４５        半田テイル
４６        装着片（脱落防止片）
４７        切欠部
４７１      縁部
４７２      立ち上がり突片
４８        弾性連結部
４９        第２コンタクト片
４９１      コンタクト部
４９２      加圧突起
５０        ＦＰＣ受け片
５０１      受圧面
５０２      コンタクト部
５１        接続部
５２        半田テイル
６          アクチュエータ
６１        開口部
６２        カム
６３        ピン部
６４        フック部
８          ＦＰＣ
８１        接点
８２        接点
【図１】
2004319349.tif 000003
【図２】
2004319349.tif 000004
【図３】
2004319349.tif 000005
【図４】
2004319349.tif 000006
【図５】
2004319349.tif 000007
【図６】
2004319349.tif 000008
【図７】
2004319349.tif 000009
【図８】
2004319349.tif 000010
【図９】
2004319349.tif 000011
【図１０】
2004319349.tif 000012
【図１１】
2004319349.tif 000013
【図１２】
2004319349.tif 000014
【図１３】
2004319349.tif 000015